(57)【要約】【課題】  下半身に欠陥を有する使用者の不正常な姿勢を矯正するために使用する矯正用フットパッド及びその設定方法を提供する。【解決手段】  人の足裏の踵領域又は足趾領域に対応して配置すると共に、足裏の踵領域又は足趾領域に対応する形状と大きさに形成された矯正用フットパッド１１と有し、この矯正用フットパッド１１の一つを一方の足裏の足趾領域に配置し、夫々両方の足の関節と繋がる筋肉に張力を感じ、筋肉が弛むことを感じられる足は、矯正用フットパッド１１の設置を要する足であり、そして、夫々両方の足の関節と繋がる筋肉の張力のバランスを感じ取るまで、矯正用フットパッドを厚さの異なる矯正用フットパッドに交換する構成にした。【選択図】    図８
2007301155.tif 000002
【特許請求の範囲】
【請求項１】
人の足裏の踵領域又は足指及び該足指の根元部分を含む足趾領域に対応して配置されると共に、前記足裏の踵領域又は足趾領域と対応する形状と大きさに成形されていることを特徴とする矯正用フットパッド。
【請求項２】
前記矯正用フットパッドの上面に、該矯正用フットパッドの厚さを増加する少なくとも一つの副矯正用フットパッドが設けられていることを特徴とする請求項１に記載の矯正用フットパッド。
【請求項３】
前記矯正用フットパッドが履物用フットパッドの踵領域又は足趾領域に積層状態に結合されることを特徴とする請求項１又は２に記載の矯正用フットパッド。
【請求項４】
前記矯正用フットパッドと前記履物用フットパッド、もしくは前記矯正用フットパッドと副矯正用フットパッドは粘着手段により結合されることを特徴とする請求項３に記載の矯正用フットパッド。
【請求項５】
前記履物用フットパッドの上面及び前記矯正用フットパッドの下面、もしくは前記矯正用フットパッドの上面及び前記副矯正用フットパッドの下面の何れか一方に複数の位置決め孔が設けられるとともに他方に前記複数の位置決め孔と係合する複数の位置決めピンが設けられ、前記履物用フットパッドと前記矯正用フットパッド、もしくは前記矯正用フットパッドと前記副矯正用フットパッドとを前記位置決め孔と位置決めピンにより結合することを特徴とする請求項３に記載の矯正用フットパッド。
【請求項６】
前記請求項１に記載の一つの矯正用フットパッドを一方の足の足裏の足趾領域に対応して配置し、この状態で荷重をかけた時に両足の関節と繋がる筋肉に張力を感じ、かつ筋肉を弛むことが感じられる足が矯正用フットパッドの設置を要する足とし、そして、両方の足の足首関節と繋がる筋肉の張力にバランスを感じるまで、前記足趾領域に配置される矯正用フットパッドを厚さの異なる矯正用フットパッドに交換することを特徴とする矯正用フットパッドの設定方法。
【請求項７】
前記矯正用フットパッドを設置しない他方の足の筋肉がアンバランスを感じる場合、該他方の足の足裏の踵領域と対応して矯正用フットパッドを配置し、かかる状態で両方の足の足首関節と繋がる筋肉の張力のバランスを感じるまで、前記踵領域に配置される矯正用フットパッドを厚さの異なる矯正用フットパッドに交換することを特徴とする請求項６に記載の矯正用フットパッドの設定方法。
【発明の詳細な説明】
【技術分野】
【０００１】
本発明は、特に下半身の欠陥を有する使用者の不正常姿勢を矯正するために使用する矯正用フットパッド及びその設定方法に関するものである。
【背景技術】
【０００２】
従来、一般に知られている靴などの履物に使用されるフットパッドは、例えば靴の内部に敷き込むことにより、歩行時の体重や地面からの衝撃を緩衝する効果を有している。しかし、このようなフットパッドは緩衝効果しか有しておらず、不正常に発育している足に対して、該足を正常な状態に矯正する効果を有していない。このため、フットパッド本体の所定の箇所に矯正用フットパッドを配設して矯正機能を発揮できるフットパッドの開発が望まれている。
尚、この矯正用フットパッドはよく使用されているものであるため、特に特許文献又は非特許文献に記載されていない。
【発明の開示】
【発明が解決しようとする課題】
【０００３】
しかしながら、前記矯正用フットパッドは、足が不正常に発育した使用者に対しては、該不正常の足による不正常な歩行姿勢を矯正することができず、又、この不正常な歩行姿勢が長時間維持されると、使用者の下半身の筋肉や骨に対して悪影響を与える問題を有している。
また、不正常な骨や関節に繋がった両足の筋肉は、夫々異なる張力を有することにより、体のバランスが取れない不快感を感じるため、少しでも体の快適感を感じようと不正常な姿勢を維持してしまうために、骨や筋肉に変形が生じてしまうという問題があった。
【０００４】
本発明は、上記のような問題を解決するためになされたもので、下半身に欠陥を有する使用者の不正常な姿勢を矯正するのに好適な矯正用フットパッド及びその設定方法を提供することを目的としている。
【課題を解決するための手段】
【０００５】
上記の目的を達成するために請求項１の発明は、矯正用フットパッドであって、人の足裏の踵領域又は足指及び該足指の根元部分を含む足趾領域に対応して配置されると共に、前記足裏の踵領域又は足趾領域と対応する形状と大きさに成形されていることを特徴とする。
【０００６】
請求項２の発明は、請求項１に記載の矯正用フットパッドにおいて、前記矯正用フットパッドの上面に、該矯正用フットパッドの厚さを増加する少なくとも一つの副矯正用フットパッドが設けられていることを特徴とする。
【０００７】
請求項３の発明は、請求項１又は２に記載の矯正用フットパッドにおいて、前記矯正用フットパッドが履物用フットパッドの踵領域又は足趾領域に積層状態に結合されることを特徴とする。
【０００８】
請求項４の発明は、請求項３に記載の矯正用フットパッドにおいて、前記矯正用フットパッドと前記履物用フットパッド、もしくは前記矯正用フットパッドと副矯正用フットパッドは粘着手段により結合されることを特徴とする。
【０００９】
請求項５の発明は、請求項３に記載の矯正用フットパッドにおいて、前記履物用フットパッドの上面及び前記矯正用フットパッドの下面、もしくは前記矯正用フットパッドの上面及び前記副矯正用フットパッドの下面の何れか一方に複数の位置決め孔が設けられるとともに他方に前記複数の位置決め孔と係合する複数の位置決めピンが設けられ、前記履物用フットパッドと前記矯正用フットパッド、もしくは前記矯正用フットパッドと前記副矯正用フットパッドとを前記位置決め孔と位置決めピンにより結合することを特徴とする。
【００１０】
請求項６の発明は、矯正用フットパッドの設定方法であって、前記請求項１に記載の一つの矯正用フットパッドを一方の足の足裏の足趾領域に対応して配置し、この状態で荷重をかけた時に両足の関節と繋がる筋肉に張力を感じ、かつ筋肉を弛むことが感じられる足が矯正用フットパッドの設置を要する足とし、そして、両方の足の足首関節と繋がる筋肉の張力にバランスを感じるまで、前記足趾領域に配置される矯正用フットパッドを厚さの異なる矯正用フットパッドに交換することを特徴とする。
【００１１】
請求項７の発明は、請求項６に記載の矯正用フットパッドの設定方法において、前記矯正用フットパッドを設置しない他方の足の筋肉がアンバランスを感じる場合、該他方の足の足裏の踵領域と対応して矯正用フットパッドを配置し、かかる状態で両方の足の足首関節と繋がる筋肉の張力のバランスを感じるまで、前記踵領域に配置される矯正用フットパッドを厚さの異なる矯正用フットパッドに交換することを特徴とする。
【発明の効果】
【００１２】
本発明の矯正用フットパッド及びその設定方法によれば、使用者の不正常の足による不正常な歩行姿勢を適正に矯正することができ、不正常な姿勢により足の筋肉と骨に対して生じる悪影響を防止できる。
【発明を実施するための最良の形態】
【００１３】
以下、本発明にかかる矯正用フットパッド及びその設定方法の実施の形態について図面を参照して説明する。なお、本発明にかかる矯正用フットパッド及びその設定方法は、以下に説明する実施の形態に限定されるものではない。
【００１４】
図１は長さの異なる両足を有する使用者の立ち姿勢を示す図であり、図２〜図７は、本発明に係る矯正用フットパッドを一般の靴などに使用される履物用フットパッドに設けた場合の各種の使用例を示すに平面図である。
【００１５】
図１に示すように、本発明に係る矯正用フットパッド及びその設定方法は、例えば長さの異なる左足２１と右足２２を有する使用者２０に対して、その不正常な姿勢を矯正するためのものである。
【００１６】
図２に示す方式は、左足用の履物用フットパッド１０の足指及び該足指の根元部分と対応する足趾領域に矯正用フットパッド１１を設けたものである。そして、矯正用フットパッド１１は、左足の足裏の足指及び該足指の根元部分を含めた足趾領域と対応する形状と大きさに成形されている。
また、図３に示す方式は、右足用の履物用フットパッド１１の足指及び該足指の根元部分と対応する足趾領域に矯正用フットパッド１１を設けたものである。そして、矯正用フットパッド１１は、右足の足裏の足指及び該足指の根元部分を含めた足趾領域と対応する形状と大きさに成形されている。
【００１７】
図４に示す方式は、右足用の履物用フットパッド１０Ａの踵領域に矯正用フットパッド１１Ａを設けたものである。そして、矯正用フットパッド１１Ａは、右足の足裏の踵領域と対応する形状と大きさに成形されている。
また、図５に示す方式は、左足用の履物用フットパッド１０Ａの踵領域に矯正用フットパッド１１Ａを設けたものである。そして、矯正用フットパッド１１Ａは、左足の足裏の踵領域と対応する形状と大きさに成形されている。
【００１８】
図６に示す方式は、右足用の履物用フットパッド１０Ａの踵領域に矯正用フットパッド１１Ａを設け、さらに、左足用の履物用フットパッド１０の足指及び該足指の根元部分と対応する足趾領域に矯正用フットパッド１１を設けたものである。そして、矯正用フットパッド１１Ａは右足の足裏の踵領域と対応する形状と大きさに成形され、矯正用フットパッド１１は左足の足裏の足趾領域と対応する形状と大きさに成形されている。
また、図６に示す方式は、左足用の履物用フットパッド１０Ａの踵領域に矯正用フットパッド１１Ａを設け、さらに、右足用の履物用フットパッド１０の足指及び該足指の根元部分と対応する足趾領域に矯正用フットパッド１１を設けたものである。そして、矯正用フットパッド１１Ａは右足の足裏の踵領域と対応する形状と大きさに成形され、矯正用フットパッド１１は左足の足裏の足趾領域と対応する形状と大きさに成形されている。
【００１９】
また、本発明に係る矯正用フットパッドの設定方法は、一つの矯正用フットパッドを一方の足の足裏の足趾領域に対応して配置し、この状態で荷重をかけた時に両足の関節と繋がる筋肉に張力を感じ、かつ筋肉の弛むことが感じられる足が矯正用フットパッドの設置を要する足とし、そして、両方の足の足首関節と繋がる筋肉の張力がバランスを取れるまで、前記足趾領域に配置される矯正用フットパッドを厚さの異なる矯正用フットパッドに交換する。
【００２０】
さらに、矯正用フットパッドを設置しない他方の足の筋肉がアンバランスを感じる場合は、この他方の足の足裏の踵領域と対応して矯正用フットパッドを配置し、かかる状態で両方の足の足首関節と繋がる筋肉の張力のバランスを感じるまで、踵領域に配置される矯正用フットパッドを厚さの異なる矯正用フットパッドに交換する。
【実施例１】
【００２１】
図８は本発明に係る矯正用フットパッドの第１実施例を示すもので、上記の設定方法に対応して、人の足裏の足趾領域及び踵領域に対応する部分を有する一般の履物用フットパッド１０と、この履物用フットパッド１０の足趾領域に設けられた矯正用フットパッド１１とを備え、この矯正用フットパッド１１は履物用フットパッド１０に一体的に形成されている。矯正用フットパッド１１の厚さは、足指へ向かって徐々に厚くなり、足指に対する矯正用フットパッド１１の端部の厚さは、０.１ｃｍ〜１.６ｃｍである。
【実施例２】
【００２２】
図９は本発明に係る矯正用フットパッドの第２実施例を示すもので、人の足裏の足趾領域及び踵領域に対応する部分を有する一般の履物用フットパッド１０Ａと、この履物用フットパッド１０Ａの踵領域に設けられた矯正用フットパッド１１Ａとを備え、この矯正用フットパッド１１Ａは履物用フットパッド１０Ａに一体的に形成されている。
【実施例３】
【００２３】
図１０は本発明に係る矯正用フットパッドの第３実施例を示すもので、人の足裏の足趾領域及び踵領域に対応する部分を有する一般の履物用フットパッド１０Ｃと、この履物用フットパッド１０Ｃの踵領域に積層される、履物用フットパッド１０Ｃとは別構造の矯正用フットパッド１１Ｃとを備え、この矯正用フットパッド１１Ｃは履物用フットパッド１０Ｃの踵領域に接着剤により結合される構成になっている。これにより、矯正用フットパッド１１Ｃの厚さは、足の後方へ向かって徐々に厚くなる。
【実施例４】
【００２４】
図１１は本発明に係る矯正用フットパッドの第４実施例を示すもので、人の足裏の足趾領域及び踵領域に対応する部分を有する一般の履物用フットパッド１０Ｄと、この履物用フットパッド１０Ｄの足趾領域または踵領域に設けられる矯正用フットパッド１１Ｄとを備え、この矯正用フットパッド１１Ｄは履物用フットパッド１０Ｄの足趾領域または踵領域に接着剤により結合されている。
【実施例５】
【００２５】
図１２は本発明に係る矯正用フットパッドの第５実施例を示すもので、人の足裏の足趾領域及び踵領域に対応する部分を有する一般の履物用フットパッド１０Ｅと、この履物用フットパッド１０Ｅの足趾領域または踵領域に設けられる矯正用フットパッド１１Ｅとを備え、この矯正用フットパッド１１Ｅは履物用フットパッド１０Ｅの足趾領域または踵領域に接着剤により結合されている。この実施例における矯正用フットパッド１１Ｅは均一の厚さを有している。
【実施例６】
【００２６】
図１３は本発明に係る矯正用フットパッドの第６実施例を示すもので、人の足裏の足趾領域及び踵領域に対応する部分を有する一般の履物用フットパッド１０Ｆと、この履物用フットパッド１０Ｆの足趾領域に積層状態に設けられる矯正用フットパッド１１Ｆとを備え、履物用フットパッド１０Ｆの足趾領域には多数の位置決め孔１０１Ｆが所定のピッチで形成され、矯正用フットパッド１１Ｆの下面には、前記多数の位置決め孔１０１Ｆに係合する多数の位置決めピン１１１Ｆが位置決め孔１０１Ｆと同一のピッチで設けられている。これらの位置決めピン１１１Ｆを位置決め孔１０１Ｆに係合することにより、矯正用フットパッド１１Ｆを履物用フットパッド１０Ｆの足趾領域に結合することができる。
【実施例７】
【００２７】
図１４は本発明に係る矯正用フットパッドの第７実施例を示すもので、人の足裏の足趾領域及び踵領域に対応する部分を有する一般の履物用フットパッド１０Ｇと、この履物用フットパッド１０Ｇの踵領域に積層状態に設けられる矯正用フットパッド１１Ｇとを備え、履物用フットパッド１０Ｇの踵領域には多数の位置決め孔１０１Ｇが所定のピッチで形成され、矯正用フットパッド１１Ｇの下面には、前記多数の位置決め孔１０１Ｇに係合する多数の位置決めピン１１１Ｇが位置決め孔１０１Ｇと同一のピッチで設けられている。これらの位置決めピン１１１Ｇを位置決め孔１０１Ｇに係合することにより、矯正用フットパッド１１Ｇを履物用フットパッド１０Ｇ上に結合することができる。
【実施例８】
【００２８】
図１５は本発明に係る矯正用フットパッドの第８実施例を示すもので、人の足裏の足趾領域及び踵領域に対応する部分を有する一般の履物用フットパッド１０Ｋと、この履物用フットパッド１０Ｋの足趾領域や踵領域に積層状態に設けられる矯正用フットパッド１１Ｋ及び矯正用フットパッド１１Ｋ上に積層される少なくとも一つの副矯正用フットパッド１２Ｋとを備え、矯正用フットパッド１１Ｋは接着剤によって履物用フットパッド１０Ｋ上に結合され、また、副矯正用フットパッド１２Ｋは接着剤によって矯正用フットパッド１１Ｋ上に結合される。
【実施例９】
【００２９】
図１６は本発明に係る矯正用フットパッドの第９実施例を示すもので、人の足裏の足趾領域及び踵領域に対応する部分を有する一般の履物用フットパッド１０Ｍと、この履物用フットパッド１０Ｍの踵領域に積層状態に設けられる矯正用フットパッド１１Ｍ及び矯正用フットパッド１１Ｍ上に積層される少なくとも一つの副矯正用フットパッド１２Ｍとを備え、履物用フットパッド１０Ｇの踵領域には多数の位置決め孔１０１Ｍが所定のピッチで形成され、矯正用フットパッド１１Ｍの下面には、前記多数の位置決め孔１０１Ｍに係合する多数の位置決めピン１１１Ｍが位置決め孔１０１Ｍと同一のピッチで設けられている。また、矯正用フットパッド１１Ｍの上面には多数の位置決め孔１１２Ｍが所定のピッチで形成され、副矯正用フットパッド１２Ｍの下面には、前記矯正用フットパッド１１Ｍの多数の位置決め孔１１２Ｍに係合する多数の位置決めピン１２１Ｍが位置決め孔１１２Ｍと同一のピッチで設けられている。これらのうち、位置決めピン１１１Ｍを位置決め孔１０１Ｍに係合することにより、矯正用フットパッド１１Ｍを履物用フットパッド１０Ｍ上に結合でき、また位置決めピン１２１Ｍを位置決め孔１１２Ｍに係合することにより、副矯正用フットパッド１２Ｍを矯正用フットパッド１１Ｍ上に結合することができる。
【産業上の利用可能性】
【００３０】
本発明は上記の方法及び構造を有し、本発明の設定方法と構造によれば、不正常の足による使用者の不正常な歩行姿勢を矯正することができるので、姿勢の不正常により足の筋肉と骨に対して生じる悪影響を防止できる。
【図面の簡単な説明】
【００３１】
【図１】長さの異なる両足を有する使用者の立ち姿勢を示す図である。
【図２】本発明に係る矯正用フットパッドを一般の履物用フットパッドに設けた場合の使用例を示すに平面図である。
【図３】本発明に係る矯正用フットパッドを一般の履物用フットパッドに設けた場合の使用例を示すに平面図である。
【図４】本発明に係る矯正用フットパッドを一般の履物用フットパッドに設けた場合の使用例を示すに平面図である。
【図５】本発明に係る矯正用フットパッドを一般の履物用フットパッドに設けた場合の使用例を示すに平面図である。
【図６】本発明に係る矯正用フットパッドを一般の履物用フットパッドに設けた場合の使用例を示すに平面図である。
【図７】本発明に係る矯正用フットパッドを一般の履物用フットパッドに設けた場合の使用例を示すに平面図である。
【図８】本発明に係る矯正用フットパッドの第１実施例を示す斜視図である。
【図９】本発明に係る矯正用フットパッドの第２実施例を示す斜視図である。
【図１０】本発明に係る矯正用フットパッドの第３実施例を示す分解斜視図である。
【図１１】本発明に係る矯正用フットパッドの第４実施例を示す部分断面図である。
【図１２】本発明に係る矯正用フットパッドの第５実施例を示す部分断面図である。
【図１３】本発明に係る矯正用フットパッドの第６実施例を示す分解斜視図である。
【図１４】本発明に係る矯正用フットパッドの第７実施例を示す分解斜視図である。
【図１５】本発明に係る矯正用フットパッドの第８実施例を示す部分断面図である。
【図１６】本発明に係る矯正用フットパッドの第９実施例を示す分解斜視図である。
【符号の説明】
【００３２】
１０Ａ、１０Ｃ、１０Ｄ、１０Ｅ    履物用フットパッド
１０Ｆ、１０Ｇ、１０Ｋ、１０Ｍ    履物用フットパッド
１１Ａ、１１Ｃ、１１Ｄ、１１Ｅ    矯正用フットパッド
１１Ｆ、１１Ｇ、１１Ｋ、１１Ｍ    矯正用フットパッド
１０１Ｆ、１０１Ｇ、１０１Ｍ、１１２Ｍ    位置決め孔
１１１Ｆ、１１１Ｇ、１１１Ｍ、１２１Ｍ    位置決めピン
１２Ｋ、１２Ｍ    副矯正用フットパッド
２０    使用者
２１    左足
２２    右足
【図１】
2007301155.tif 000003
【図２】
2007301155.tif 000004
【図３】
2007301155.tif 000005
【図４】
2007301155.tif 000006
【図５】
2007301155.tif 000007
【図６】
2007301155.tif 000008
【図７】
2007301155.tif 000009
【図８】
2007301155.tif 000010
【図９】
2007301155.tif 000011
【図１０】
2007301155.tif 000012
【図１１】
2007301155.tif 000013
【図１２】
2007301155.tif 000014
【図１３】
2007301155.tif 000015
【図１４】
2007301155.tif 000016
【図１５】
2007301155.tif 000017
【図１６】
2007301155.tif 000018